(57)【特許請求の範囲】
【請求項１】
電極としての第１電極及び第２電極がセパレータを介して交互に積層された電極組立体と、
前記電極組立体が収容されているケースと、
前記ケースの壁部から外部に露出しているものであって、一部が前記電極組立体に向けて突出している第１端子及び第２端子と、
を備え、
前記第１電極は、当該第１電極の端部から突出した形状の第１タブを有し、
前記第２電極は、当該第２電極の端部から突出した形状の第２タブを有し、
前記電極組立体における前記第１タブ及び前記第２タブが存在する端面と、前記第１端子及び前記第２端子が存在する前記壁部とが対向しており、
前記第２端子と前記電極組立体との間に配置され、前記第２端子に接合されている電流遮断部と、
前記第１タブと前記第１端子とに接合されている第１導電部材と、
前記電流遮断部と前記第２タブとに接合されている第２導電部材と、
を備え、
前記第１導電部材は、前記電極の積層方向から見てクランク状に湾曲した第１湾曲部を有し、
前記第２導電部材は、前記電極の積層方向から見てクランク状に湾曲した第２湾曲部を有し、
前記電極の積層方向と、前記壁部及び前記端面の対向方向との双方に直交する方向を前記電極組立体の幅方向とすると、
前記第１端子の一部と前記第１タブとは前記電極組立体の幅方向に並んでおり、前記電流遮断部と前記第２タブとは前記電極組立体の幅方向に並んでおり、
前記第１導電部材は、
前記第１端子に接合されている端子接合部と、
前記端子接合部よりも前記壁部寄りに配置される第１タブ接合部であって、前記第１タブに接合されている第１タブ接合面、及び、前記壁部と対向する第１対向面を有する前記第１タブ接合部と、
を備え、
前記第２導電部材は、
前記電流遮断部に接合されている遮断接合部と、
前記遮断接合部よりも前記壁部寄りに配置される第２タブ接合部であって、前記第２タブに接合されている第２タブ接合面、及び、前記壁部と対向する第２対向面を有する前記第２タブ接合部と、
を備え、
前記遮断接合部と前記端子接合部とは、前記対向方向にずれており、
前記第１湾曲部と前記第２湾曲部とは、前記対向方向において前記第１対向面と前記第２対向面とが互いに近づくように湾曲していることを特徴とする蓄電装置。
【請求項２】
電極としての第１電極及び第２電極がセパレータを介して交互に積層された電極組立体と、
前記電極組立体が収容されているケースと、
前記ケースの壁部から外部に露出しているものであって、一部が前記電極組立体に向けて突出している第１端子及び第２端子と、
を備え、
前記第１電極は、当該第１電極の端部から突出した形状の第１タブを有し、
前記第２電極は、当該第２電極の端部から突出した形状の第２タブを有し、
前記電極組立体における前記第１タブ及び前記第２タブが存在する端面と、前記第１端子及び前記第２端子が存在する前記壁部とが対向しており、
前記第２端子と前記電極組立体との間に配置され、前記第２端子に接合されている電流遮断部と、
前記第１タブと前記第１端子とに接合されている第１導電部材と、
前記電流遮断部と前記第２タブとに接合されている第２導電部材と、
を備え、
前記第１導電部材は、前記電極の積層方向から見てクランク状に湾曲した第１湾曲部を有し、
前記第２導電部材は、前記電極の積層方向から見てクランク状に湾曲した第２湾曲部を有し、
前記電極の積層方向と、前記壁部及び前記端面の対向方向との双方に直交する方向を前記電極組立体の幅方向とすると、
前記第１端子の一部と前記第１タブとは前記電極組立体の幅方向に並んでおり、前記電流遮断部と前記第２タブとは前記電極組立体の幅方向に並んでおり、
前記第１導電部材は、前記第１端子に接合されている端子接合部よりも前記壁部寄りに配置されるものであって、前記第１タブに接合されている第１タブ接合面を有する第１タブ接合部を備え、
前記第２導電部材は、前記電流遮断部に接合されている遮断接合部よりも前記壁部寄りに配置されるものであって、前記第２タブに接合されている第２タブ接合面を有する第２タブ接合部を備え、
前記第１湾曲部と前記第２湾曲部とは、前記第１タブ接合面と前記第２タブ接合面とが前記対向方向にずれるように湾曲していることを特徴とする蓄電装置。
【請求項３】
電極としての第１電極及び第２電極がセパレータを介して交互に積層された電極組立体と、
前記電極組立体が収容されているケースと、
前記ケースの壁部から外部に露出しているものであって、一部が前記電極組立体に向けて突出している第１端子及び第２端子と、
を備え、
前記第１電極は、当該第１電極の端部から突出した形状の第１タブを有し、
前記第２電極は、当該第２電極の端部から突出した形状の第２タブを有し、
前記電極組立体における前記第１タブ及び前記第２タブが存在する端面と、前記第１端子及び前記第２端子が存在する前記壁部とが対向しており、
前記第２端子と前記電極組立体との間に配置され、前記第２端子に接合されている電流遮断部と、
前記第１タブと前記第１端子とに接合されている第１導電部材と、
前記電流遮断部と前記第２タブとに接合されている第２導電部材と、
を備え、
前記第１導電部材は、前記電極の積層方向から見てクランク状に湾曲した第１湾曲部を有し、
前記第２導電部材は、前記電極の積層方向から見てクランク状に湾曲した第２湾曲部を有し、
前記電極の積層方向と、前記壁部及び前記端面の対向方向との双方に直交する方向を前記電極組立体の幅方向とすると、
前記第１端子の一部と前記第１タブとは前記電極組立体の幅方向に並んでおり、前記電流遮断部と前記第２タブとは前記電極組立体の幅方向に並んでおり、
前記第１導電部材は、前記第１端子に接合されている端子接合部よりも前記壁部寄りに配置されるものであって、前記第１タブに接合されている板状の第１タブ接合部を備え、
前記第２導電部材は、前記電流遮断部に接合されている遮断接合部よりも前記壁部寄りに配置されるものであって、前記第２タブに接合されている板状の第２タブ接合部を備え、
前記第１タブ接合部及び前記第２タブ接合部の少なくとも一方は、厚さが相違する厚肉部及び薄肉部を有していることを特徴とする蓄電装置。
【請求項４】
前記第１湾曲部及び前記第２湾曲部の少なくとも一方はくびれている請求項１〜３のうちいずれか一項に記載の蓄電装置。
【請求項５】
電極としての第１電極及び第２電極がセパレータを介して交互に積層された電極組立体と、
前記電極組立体が収容されているケースと、
前記ケースの壁部から外部に露出しているものであって、一部が前記電極組立体に向けて突出している第１端子及び第２端子と、
を備え、
前記第１電極は、当該第１電極の端部から突出した形状の第１タブを有し、
前記第２電極は、当該第２電極の端部から突出した形状の第２タブを有し、
前記電極組立体における前記第１タブ及び前記第２タブが存在する端面と、前記第１端子及び前記第２端子が存在する前記壁部とが対向しており、
前記第２端子と前記電極組立体との間に配置され、前記第２端子に接合されている電流遮断部と、
前記第１タブと前記第１端子とに接合されている第１導電部材と、
前記電流遮断部と前記第２タブとに接合されている第２導電部材と、
を備え、
前記第１導電部材は、前記電極の積層方向から見てクランク状に湾曲した第１湾曲部を有し、
前記第２導電部材は、前記電極の積層方向から見てクランク状に湾曲した第２湾曲部を有し、
前記電極の積層方向と、前記壁部及び前記端面の対向方向との双方に直交する方向を前記電極組立体の幅方向とすると、
前記第１端子の一部と前記第１タブとは前記電極組立体の幅方向に並んでおり、前記電流遮断部と前記第２タブとは前記電極組立体の幅方向に並んでおり、
前記第１導電部材は、
前記第１端子に接合されている端子接合部と、
前記端子接合部よりも壁部寄りに配置される第１タブ接合部であって、前記第１タブに接合されている第１タブ接合面を有する前記第１タブ接合部と、を備え、
前記端子接合部と一体化され、かつ端子接合部と電極組立体の端面との間に介在するものであって絶縁性を有する第１絶縁部材を備えており、
前記第１湾曲部における前記電極組立体への対向部のうち、最も電極組立体に近い第１対向部から第１タブ接合面までの距離を湾曲部距離とし、
前記第１タブが電極組立体側に寄せ集められ、かつ第１タブに接合された第１導電部材が電極組立体に向けて変位した場合において、
前記対向方向に沿った第１絶縁部材と電極組立体の端面との距離を離間距離とし、
前記第１タブの厚みを枚数分だけ加算し、かつ２倍した値をタブ積層距離とし、
前記第２導電部材は、
前記電流遮断部に接合されている遮断接合部と、
前記遮断接合部よりも前記壁部寄りに配置される第２タブ接合部であって、前記第２タブに接合されている第２タブ接合面を有する前記第２タブ接合部と、を備え、
前記電流遮断部と一体化され、かつ電流遮断部と前記電極組立体の端面との間に介在するものであって絶縁性を有する第２絶縁部材を備えており、
前記第２湾曲部における前記電極組立体への対向部のうち、最も電極組立体に近い第２対向部から第２タブ接合面までの距離を湾曲部距離とし、
前記第２タブが電極組立体側に寄せ集められ、かつ第２タブに接合された第２導電部材が電極組立体に向けて変位した場合において、
前記対向方向に沿った第２絶縁部材と電極組立体の端面との距離を離間距離とし、
前記第２タブの厚みを枚数分だけ加算し、かつ２倍した値をタブ積層距離としたとき、
前記第１導電部材側及び前記第２導電部材側の少なくともいずれか一方側について
（湾曲部距離）＜（タブ積層距離）−（離間距離）
が成立することを特徴とする蓄電装置。
【請求項６】
前記蓄電装置は二次電池である請求項１〜５のうちいずれか一項に記載の蓄電装置。
【発明の詳細な説明】
【技術分野】
【０００１】
本発明は、蓄電装置に関するものである。
【背景技術】
【０００２】
蓄電装置としての二次電池は、例えば第１電極及び第２電極がセパレータを介して交互に積層された電極組立体と、電極組立体が収容されているケースとを備えているものが知られている（例えば特許文献１参照）。特許文献１には、第１電極の端部に存在する第１タブと、ケースに存在する第１端子とを電気的に接続する第１導電部材と、第２電極の端部に存在する第２タブと、ケースに存在する第２端子とを電気的に接続する第２導電部材とを有する二次電池が記載されている。また、特許文献１には、導電部材に流れる電流を遮断する電流遮断部が記載されている。
【先行技術文献】
【特許文献】
【０００３】
【特許文献１】特開２０１４−２６８６７号公報
【発明の概要】
【発明が解決しようとする課題】
【０００４】
ここで、各タブと電流遮断部とはケース内に配置されるものである。また、各端子の一部はケース内に突出している場合がある。このため、ケース内にて、これら各種部品の設置スペースを確保する必要がある。この場合、ケース内のスペースは限られているため、上記設置スペースが大きくなると、その分だけ電極組立体を小さくする必要がある。すると、エネルギ密度等の低下が懸念される。しかしながら、上記電極組立体及び上記各種部品の設置スペースを十分に確保しようとしてケースを大型化することは、二次電池の大型化の観点から好ましくない。
【０００５】
本発明の目的は、上述した事情を鑑みてなされたものであり、各タブ及び電流遮断部を好適に配置可能な蓄電装置を提供することである。
【課題を解決するための手段】
【０００６】
上記目的を達成する蓄電装置は、電極としての第１電極及び第２電極がセパレータを介して交互に積層された電極組立体と、前記電極組立体が収容されているケースと、前記ケースの壁部から外部に露出しているものであって、一部が前記電極組立体に向けて突出している第１端子及び第２端子と、を備え、前記第１電極は、当該第１電極の端部から突出した形状の第１タブを有し、前記第２電極は、当該第２電極の端部から突出した形状の第２タブを有し、前記電極組立体における前記第１タブ及び前記第２タブが存在する端面と、前記第１端子及び前記第２端子が存在する前記壁部とが対向しており、前記第２端子と前記電極組立体との間に配置され、前記第２端子に接合されている電流遮断部と、前記第１タブと前記第１端子とに接合されている第１導電部材と、前記電流遮断部と前記第２タブとに接合されている第２導電部材と、を備え、前記第１導電部材は、前記電極の積層方向から見てクランク状に湾曲した第１湾曲部を有し、前記第２導電部材は、前記電極の積層方向から見てクランク状に湾曲した第２湾曲部を有し、前記電極の積層方向と、前記壁部及び前記端面の対向方向との双方に直交する方向を前記電極組立体の幅方向とすると、前記第１端子の一部と前記第１タブとは前記電極組立体の幅方向に並んでおり、前記電流遮断部と前記第２タブとは前記電極組立体の幅方向に並んでいることを特徴とする。
【０００７】
かかる構成によれば、電極組立体の幅方向に、電極組立体に向けて突出している第１端子の一部と第１タブとが並んでおり、且つ、電流遮断部と第２タブとが並んでいるため、例えば各タブが、電流遮断部及び第１端子よりも電極組立体寄りに配置されている場合と比較して、これら各種部品が配置されるスペースが小さくなっている。これにより、各タブや電流遮断部等といった各種部品の設置スペースの削減を図ることができる。
【０００８】
上記蓄電装置について、前記第１導電部材は、前記第１端子に接合されている端子接合部と、前記端子接合部よりも前記壁部寄りに配置される第１タブ接合部であって、前記第１タブに接合されている第１タブ接合面、及び、前記壁部と対向する第１対向面を有する前記第１タブ接合部と、を備え、前記第２導電部材は、前記電流遮断部に接合されている遮断接合部と、前記遮断接合部よりも前記壁部寄りに配置される第２タブ接合部であって、前記第２タブに接合されている第２タブ接合面、及び、前記壁部と対向する第２対向面を有する前記第２タブ接合部と、を備え、前記遮断接合部と前記端子接合部とは、前記対向方向にずれており、前記第１湾曲部と前記第２湾曲部とは、前記対向方向において前記第１対向面と前記第２対向面とが互いに近づくように湾曲しているとよい。かかる構成によれば、第１対向面と第２対向面とが互いに近づいているため、各対向面と壁部との間のスペースに部材を配置した場合の当該部材のガタつきを抑制できる。
【０００９】
なお、仮に、第２対向面が、対向方向にずれた第１面及び第２面を有している場合には、第１面及び第２面のうち相対的に壁部に近い方の面と第１対向面とが互いに近づくようになっているとよい。第１対向面についても同様である。
【００１０】
上記蓄電装置について、前記第１導電部材は、前記第１端子に接合されている端子接合部よりも前記壁部寄りに配置されるものであって、前記第１タブに接合されている第１タブ接合面を有する第１タブ接合部を備え、前記第２導電部材は、前記電流遮断部に接合されている遮断接合部よりも前記壁部寄りに配置されるものであって、前記第２タブに接合されている第２タブ接合面を有する第２タブ接合部を備え、前記第１湾曲部と前記第２湾曲部とは、前記第１タブ接合面と前記第２タブ接合面とが前記対向方向にずれるように湾曲しているとよい。かかる構成によれば、第１タブが配置される第１タブスペースと第２タブが配置される第２タブスペースとを異ならせることができる。これにより、例えば第１タブと第２タブとで厚さが異なる場合には、当該厚さの違いに対応させて第１タブスペースと第２タブスペースとを異ならせることができ、それを通じて各タブに対して付与される応力を軽減できる。
【００１１】
上記蓄電装置について、前記第１導電部材は、前記第１端子に接合されている端子接合部よりも前記壁部寄りに配置されるものであって、前記第１タブに接合されている板状の第１タブ接合部を備え、前記第２導電部材は、前記電流遮断部に接合されている遮断接合部よりも前記壁部寄りに配置されるものであって、前記第２タブに接合されている板状の第２タブ接合部を備え、前記第１タブ接合部及び前記第２タブ接合部の少なくとも一方は、厚さが相違する厚肉部及び薄肉部を有しているとよい。かかる構成によれば、薄肉部は、厚肉部と比較して、撓み易いため、電流遮断部と遮断接合部との接合箇所や、第２端子と端子接合部との接合箇所に対して付与される応力を軽減することができる。また、例えば薄肉部とタブとを溶接することにより、導電部材とタブとの接合を、より好適に行うことができる。
上記蓄電装置について、前記第１湾曲部及び前記第２湾曲部の少なくとも一方はくびれているとよい。かかる構成によれば、クランク状に湾曲している湾曲部が撓み易くなっている。これにより、導電部材に外力が付与された場合に生じる応力は、湾曲部にて吸収されやすい。よって、電流遮断部と遮断接合部との接合箇所や、第２端子と端子接合部との接合箇所に応力が付与されることを抑制できる。
【００１３】
上記蓄電装置について、前記第１導電部材は、前記第１端子に接合されている端子接合部と、前記端子接合部よりも壁部寄りに配置される第１タブ接合部であって、前記第１タブに接合されている第１タブ接合面を有する前記第１タブ接合部と、を備え、前記端子接合部と一体化され、かつ端子接合部と電極組立体の端面との間に介在するものであって絶縁性を有する第１絶縁部材を備えており、前記第１湾曲部における前記電極組立体への対向部のうち、最も電極組立体に近い第１対向部から第１タブ接合面までの距離を湾曲部距離とし、前記第１タブが電極組立体側に寄せ集められ、かつ第１タブに接合された第１導電部材が電極組立体に向けて変位した場合において、前記対向方向に沿った第１絶縁部材と電極組立体の端面との距離を離間距離とし、前記第１タブの厚みを枚数分だけ加算し、かつ２倍した値をタブ積層距離とし、前記第２導電部材は、前記電流遮断部に接合されている遮断接合部と、前記遮断接合部よりも前記壁部寄りに配置される第２タブ接合部であって、前記第２タブに接合されている第２タブ接合面を有する前記第２タブ接合部と、を備え、前記電流遮断部と一体化され、かつ電流遮断部と前記電極組立体の端面との間に介在するものであって絶縁性を有する第２絶縁部材を備えており、前記第２湾曲部における前記電極組立体への対向部のうち、最も電極組立体に近い第２対向部から第２タブ接合面までの距離を湾曲部距離とし、前記第２タブが電極組立体側に寄せ集められ、かつ第２タブに接合された第２導電部材が電極組立体に向けて変位した場合において、前記対向方向に沿った第２絶縁部材と電極組立体の端面との距離を離間距離とし、前記第２タブの厚みを枚数分だけ加算し、かつ２倍した値をタブ積層距離としたとき、前記第１導電部材側及び前記第２導電部材側の少なくともいずれか一方側について（湾曲部距離）＜（タブ積層距離）−（離間距離）が成立するとよい。かかる構成によれば、第１導電部材及び第２導電部材において、湾曲部距離を設定することにより、第１導電部材及び第２導電部材が電極組立体に向けて変位しても、湾曲部の対向部のうち、最も電極組立体に近い対向部が、電極組立体の端面に接触することが抑制される。また、各絶縁部材が電極組立体の端面に接触することが抑制される。その結果、第１導電部材及び第２導電部材が、異なる極性の電極に接触し、短絡してしまうこと、及び絶縁部材によって電極組立体が損傷を受けることを抑制できる。
【００１４】
上記蓄電装置は二次電池であるとよい。
【発明の効果】
【００１５】
この発明によれば、各タブ及び電流遮断部を好適に配置できる。
【図面の簡単な説明】
【００１６】
【図１】第１実施形態の二次電池の斜視図。
【図２】電極組立体の分解斜視図。
【図３】二次電池の分解斜視図。
【図４】導電部材及び端子の上面図。
【図５】導電部材と端子との接合構造を示す分解斜視図。
【図６】図１の６−６線断面図。
【図７】二次電池の製造工程を示す断面図。
【図８】第２実施形態の各導電部材を示す断面図。
【図９】第３の実施形態の各タブを示す斜視図。
【図１０】（ａ）は第３の実施形態の正極導電部材を示す部分断面図、（ｂ）は正極導電部材が変位した状態を示す部分断面図。
【発明を実施するための形態】
【００１７】
（第１実施形態）
以下、蓄電装置の第１実施形態について図１〜図７を用いて説明する。なお、図４については、各タブ３１，３２を２点鎖線にて示し、図６等においては各溶接部分Ｐ１，Ｐ２をドットハッチで示す。
【００１８】
図１に示すように、蓄電装置としての二次電池１０は、直方体形状のケース１１を備えている。ケース１１は、一方に開口した有底箱状のケース本体１２と、ケース本体１２の開口部分を塞ぐ長方形平板状の蓋１３とを備えている。ケース本体１２と蓋１３とは、溶接などによって接合されている。
【００１９】
二次電池１０は、ケース１１に収容されている電極組立体１４及び電解液（図示略）と、電極組立体１４と電力のやり取りを行う正極端子１５及び負極端子１６とを備えている。各端子１５，１６は、ケース１１の蓋１３にあり、蓋１３を貫通した状態で配置されている。各端子１５，１６は、ケース１１から外部に露出している。蓋１３が、各端子１５，１６が存在するケース１１の壁部に対応する。なお、本実施形態の二次電池１０は、例えばリチウムイオン電池である。
【００２０】
図２に示すように、電極組立体１４は、電極としての正極電極２１及び負極電極２２が、電気伝導に係るイオンが通過可能な多孔質膜であるセパレータ２３を介して交互に積層された構造である。各電極２１，２２及びセパレータ２３は、長方形状のシートである。
【００２１】
正極電極２１は、長方形状の正極金属箔（例えばアルミニウム箔）２１ａと、当該正極金属箔２１ａの両面にある正極活物質層２１ｂと、を有する。負極電極２２は、長方形状の負極金属箔（例えば銅箔）２２ａと、当該負極金属箔２２ａの両面にある負極活物質層２２ｂと、を有する。電極組立体１４を構成している状態において、正極活物質層２１ｂは負極活物質層２２ｂに覆われ、且つ、各電極２１，２２はセパレータ２３によって覆われている。
【００２２】
図２に示すように、正極電極２１は、当該正極電極２１の端部２１ｃから突出した形状の正極タブ３１を有する。同様に、負極電極２２は、当該負極電極２２の端部２２ｃから突出した形状の負極タブ３２を有する。負極タブ３２の厚さは、正極タブ３１の厚さよりも薄い。
【００２３】
各電極２１，２２は、各タブ３１，３２の同一極性同士が列状に配置されるように積層されている。そして、図３に示すように、各負極タブ３２は電極２１，２２の積層方向Ｙの一方に寄せて集められ、その集められた状態で他方に折り返されている。同様に、各正極タブ３１は、電極２１，２２の積層方向Ｙの一方に寄せて集められた状態で他方に折り返されている。本実施形態においては、負極タブ３２と正極タブ３１とが折り返される方向は一致する。電極組立体１４は、各タブ３１，３２が存在する端面１４ａと蓋１３の内面１３ａとが対向する状態でケース１１内に収容されている。この場合、端面１４ａと内面１３ａとの間には、所定のスペースＳ１（図６参照）が存在している。
【００２４】
ここで、以降の説明において、電極組立体１４の端面１４ａと、各端子１５，１６が存在するケース１１の壁部としての蓋１３とが対向する方向（端面１４ａと蓋１３の内面１３ａに垂直な線が延びる方向）を対向方向Ｚとし、当該対向方向Ｚ及び電極２１，２２の積層方向Ｙの双方と直交する方向を電極組立体１４の幅方向Ｘとする。
【００２５】
また、説明の便宜上、対向方向Ｚにおける電極組立体１４の端面１４ａから蓋１３に向かう方向を単に上方と言い、対向方向Ｚにおける蓋１３から電極組立体１４の端面１４ａに向かう方向を下方と言う。この場合、対向方向Ｚは上下方向とも言える。
【００２６】
図３及び図４に示すように、二次電池１０は、正極タブ３１と正極端子１５とを電気的に接続するのに用いられる正極導電部材４０を備えている。正極導電部材４０は、スペースＳ１内、詳細にはケース１１の蓋１３と電極組立体１４との間に存在し、正極タブ３１及び正極端子１５の双方に接合されている。
【００２７】
正極導電部材４０は、一枚の金属板、例えばアルミニウム板で構成されている。正極導電部材４０は、相対的に蓋１３寄りに配置されたものであって正極タブ３１に接合されている正極タブ接合部４１と、正極タブ接合部４１よりも電極組立体１４に近い位置に配置されたものであって正極端子１５に接合されている端子接合部４２とを有している。そして、正極導電部材４０は、正極タブ接合部４１及び端子接合部４２の双方と連続し、電極２１，２２の積層方向Ｙから見てクランク状に湾曲（屈曲）した正極湾曲部４３とを有している。正極湾曲部４３は、正極タブ接合部４１と連続した曲がり始めの部分から、端子接合部４２と連続した曲がり終わりの部分までである。正極湾曲部４３は全体として対向方向Ｚに延びている。
【００２８】
正極タブ接合部４１と正極タブ３１との接合態様について説明する。図４に示すように、正極タブ接合部４１は、正極湾曲部４３から電極組立体１４の幅方向Ｘの、正極端子１５とは反対側に向けて延びた長方形の板状であり、電極組立体１４の幅方向Ｘにおける正極タブ接合部４１の先端は正極タブ３１における負極タブ３２寄りの側面と同一平面上に存在する。図５及び図６に示すように、正極タブ接合部４１は、蓋１３の内面１３ａと対向する正極上面４４と、電極組立体１４の端面１４ａと対向する正極下面４５とを有する。正極上面４４及び正極下面４５は、電極２１，２２の積層方向Ｙ及び電極組立体１４の幅方向Ｘに延びた面である。正極下面４５は、正極タブ３１と接触している。正極導電部材４０と正極タブ３１とは、正極下面４５と正極タブ３１との接触箇所が溶接されていることによって、電気的に接続されている。
【００２９】
端子接合部４２と正極端子１５との接合態様について、正極端子１５の詳細な説明とともに説明する。
図５及び図６に示すように、正極端子１５は、角柱状の正極頭部５１と、正極頭部５１の上面５１ａから上方に向けて延び、且つ、外周面にねじ溝を有する正極軸部５２とを備えている。
【００３０】
図６に示すように、正極軸部５２は、蓋１３に有る貫通孔１３ｂを介してケース１１外に突出している。正極軸部５２には、絶縁性のＯリング５３と、貫通孔１３ｂに嵌合するものであって絶縁性のフランジ付きリング５４とが挿通されている。そして、正極軸部５２には、フランジ付きリング５４の上からナット５５が螺合されており、正極端子１５と蓋１３とはユニット化されている。なお、フランジ付きリング５４は、正極軸部５２と蓋１３の貫通孔１３ｂの周縁部との間、及び、ナット５５と蓋１３との間に介在している。
【００３１】
正極頭部５１は、ケース１１内の空間であるスペースＳ１内に存在し、蓋１３の内面１３ａから電極組立体１４に向けて突出している。正極頭部５１の下面５１ｂには、当該下面５１ｂから下方に向けて突出した正極溶接片５６が存在する。
【００３２】
図５及び図６に示すように、正極導電部材４０の端子接合部４２は、正極湾曲部４３から電極組立体１４の幅方向Ｘに延びた長方形の板状であり、正極頭部５１と電極組立体１４との間に配置されている。また、上方から見て端子接合部４２の一部は正極頭部５１からはみ出している。図６に示すように、正極導電部材４０の端子接合部４２には、正極溶接片５６と嵌合可能な溶接孔４２ａが存在する。正極溶接片５６は、溶接孔４２ａに嵌合している。正極導電部材４０と正極端子１５とは、正極溶接片５６と溶接孔４２ａの周縁部とが溶接されていることによって電気的に接続されている。なお、正極溶接片５６と溶接孔４２ａの周縁部との溶接部分を正極溶接部分Ｐ１という。
【００３３】
図５及び図６に示すように、二次電池１０は、正極頭部５１の一部を覆うものであって絶縁性を有する第１正極絶縁部材５７と、端子接合部４２と電極組立体１４の端面１４ａとの間に介在するものであって絶縁性を有する第２正極絶縁部材５８とを備えている。
【００３４】
第１正極絶縁部材５７は、蓋１３と正極頭部５１との接触を規制するものである。第１正極絶縁部材５７は、正極頭部５１に対して上方から取り付けられており、正極頭部５１の上面５１ａ及び正極頭部５１の外周面の一部を覆っている。
【００３５】
第２正極絶縁部材５８は、端子接合部４２及び正極溶接片５６と電極組立体１４の端面１４ａとの接触を規制するものである。第２正極絶縁部材５８は、長方形の板状のベース部５８ａと、当該ベース部５８ａから端子接合部４２に向けて起立した４つの係止爪５８ｂを有している。係止爪５８ｂは、端子接合部４２における正極頭部５１の外周面からはみ出した部分に係止している。なお、正極溶接片５６とベース部５８ａとの干渉を回避するべく、ベース部５８ａは、正極溶接片５６の外周面と同一形状の側壁を有する凹部５８ａａを備えている。
【００３６】
図３に示すように、二次電池１０は、負極タブ３２と負極端子１６とを電気的に接続するのに用いられる負極導電部材６０を備えている。負極導電部材６０は、スペースＳ１内、詳細にはケース１１の蓋１３と電極組立体１４との間に存在し、負極タブ３２と、負極端子１６と一体化された電流遮断部８０との双方に接合されている。
【００３７】
負極導電部材６０は、一枚の金属板、例えば銅板で構成されている。図６に示すように、負極導電部材６０は、相対的に蓋１３寄りに配置されたものであって負極タブ３２に接合されている負極タブ接合部６１と、負極タブ接合部６１よりも電極組立体１４に近い位置に配置されたものであって電流遮断部８０に接合されている遮断接合部６２とを有している。そして、負極導電部材６０は、負極タブ接合部６１及び遮断接合部６２の双方と連続し、電極２１，２２の積層方向Ｙから見てクランク状に湾曲（屈曲）した負極湾曲部６３を有している。負極湾曲部６３は、負極タブ接合部６１と連続した曲がり始めの部分から、遮断接合部６２と連続した曲がり終わりの部分までである。
【００３８】
負極湾曲部６３は全体として対向方向Ｚに延びている。また、図４に示すように、負極湾曲部６３は、電極２１，２２の積層方向Ｙにくびれている。詳細には、負極湾曲部６３の電極２１，２２の積層方向Ｙの長さである負極湾曲部６３の幅は、負極タブ接合部６１の幅よりも狭くなっている。
【００３９】
負極タブ接合部６１と負極タブ３２との接合態様について説明する。図４に示すように、負極タブ接合部６１は、負極湾曲部６３から電極組立体１４の幅方向Ｘの、負極端子１６とは反対側に向けて延びた長方形の板状であり、電極組立体１４の幅方向Ｘにおける負極タブ接合部６１の先端は負極タブ３２における正極タブ３１寄りの側面と同一平面上に存在する。図５及び図６に示すように、負極タブ接合部６１は、蓋１３の内面１３ａと対向する負極上面６４と、電極組立体１４の端面１４ａと対向する負極下面６５とを有する。負極上面６４及び負極下面６５は、電極２１，２２の積層方向Ｙ及び電極組立体１４の幅方向Ｘに延びた面である。
【００４０】
ここで、図５及び図６に示すように、負極タブ接合部６１は、板厚が相違する厚肉部６１ａ及び薄肉部６１ｂを有している。厚肉部６１ａは、負極タブ接合部６１の基端側に配置されている。薄肉部６１ｂは、負極タブ接合部６１の先端側に配置されている。また、厚肉部６１ａと薄肉部６１ｂとで板厚が異なる関係上、負極上面６４は、対向方向Ｚにずれた第１面６４ａ及び第２面６４ｂを有する段差状となっている。第１面６４ａは厚肉部６１ａの上面であり、第２面６４ｂよりも蓋１３に近い。
【００４１】
上方から見て、薄肉部６１ｂは負極タブ３２の全体に重なっている。そして、負極下面６５における薄肉部６１ｂに対応する部分が負極タブ３２に接触しており、その接触箇所にて溶接されている。すなわち、負極導電部材６０と負極タブ３２とは、負極タブ接合部６１の薄肉部６１ｂと負極タブ３２とが溶接されていることによって、電気的に接続されている。
【００４２】
図５及び図６に示すように、負極端子１６は、負極頭部７１と、負極頭部７１の上面７１ａから上方に向けて延び、外周面にねじ溝を有する負極軸部７２とを備えている。
図６に示すように、負極軸部７２は、蓋１３に有る貫通孔１３ｂを介してケース１１外に突出している。負極軸部７２には、絶縁性のＯリング７３と、貫通孔１３ｂに嵌合するものであって絶縁性のフランジ付きリング７４とが挿通されている。そして、負極軸部７２には、フランジ付きリング７４の上からナット７５が螺合されており、負極端子１６と蓋１３とがユニット化されている。なお、フランジ付きリング７４は、負極軸部７２と蓋１３の貫通孔１３ｂの周縁部との間、及び、ナット７５と蓋１３との間に介在している。
【００４３】
負極頭部７１は、ケース１１内の空間であるスペースＳ１内に存在し、蓋１３の内面１３ａから電極組立体１４に向けて突出している。負極頭部７１の下面７１ｂには、蓋１３（上方）に向けてすり鉢状に凹んだ端子凹部７１ｃが有る。
【００４４】
負極導電部材６０の遮断接合部６２は、負極湾曲部６３の幅よりも大きい径の円板状であって、負極頭部７１よりも電極組立体１４寄りに配置されている。遮断接合部６２の上面６２ａと、負極頭部７１の下面７１ｂとが対向している。
【００４５】
電流遮断部８０は、負極端子１６と電極組立体１４との間に配置されている。電流遮断部８０は、負極端子１６と負極導電部材６０とを電気的に接続し、且つ、ケース１１内の圧力が規定圧を超えた場合に、負極端子１６と負極導電部材６０との電気的な接続を遮断する。つまり、電流遮断部８０は、ケース１１内の圧力が規定圧以下である場合において負極端子１６及び負極タブ３２間の通電経路の一部を構成する一方、ケース１１内の圧力が規定圧を超えた場合において上記通電経路を遮断する。
【００４６】
図６に示すように、電流遮断部８０は、負極頭部７１の下面７１ｂと遮断接合部６２の上面６２ａとに接合されている接点板８１を備えている。接点板８１は、導電性材料で構成されたダイヤフラムである。接点板８１は円板状であって端子凹部７１ｃを下方からオーバーラップして覆っている。接点板８１における端子凹部７１ｃからはみ出している外周部と、負極頭部７１の下面７１ｂにおける端子凹部７１ｃの周縁部とは、溶接されている。接点板８１における端子凹部７１ｃと対向する部分は、通常状態において下方に凸となっており、この凸部分と遮断接合部６２の上面６２ａとが溶接されている。すなわち、遮断接合部６２と負極頭部７１とは、接点板８１を介して電気的に接続されている。
【００４７】
なお、接点板８１の外周部と遮断接合部６２の上面６２ａとの間には、絶縁リング８２が存在する。接点板８１は、絶縁リング８２と負極頭部７１の下面７１ｂとの挟持によって支持されている。また、絶縁リング８２の外側であって負極頭部７１と遮断接合部６２との間にはシール部材８３がある。
【００４８】
遮断接合部６２の下面６２ｂには、蓋１３に向けてすり鉢状に凹んだ遮断凹部６２ｃが存在する。遮断凹部６２ｃの底面は、上方から見て接点板８１と遮断接合部６２との溶接部分である負極溶接部分Ｐ２を含む。遮断凹部６２ｃの底面には、負極溶接部分Ｐ２を囲む破断溝８４が存在する。破断溝８４は、例えば円環状である。
【００４９】
電流遮断部８０は、遮断接合部６２の下方に配置され、ケース１１内の圧力によって変形する変形板８５を備えている。変形板８５は、導電性材料で構成されたダイヤフラムである。変形板８５は、円板状であって遮断凹部６２ｃを下方からオーバーラップして覆っており、変形板８５の外周部と、遮断接合部６２の下面６２ｂとが溶接されている。変形板８５は、通常状態において下方に向けて凸となっており、当該凸部分における負極溶接部分Ｐ２と対向する箇所には、上方に向けて突出した突起８５ａが有る。突起８５ａは、破断溝８４で囲まれた負極溶接部分Ｐ２と対向している。変形板８５は、下方から上方に向けて規定圧よりも大きい圧力が付与された場合には、上方に向けて凸となるように構成されている。
【００５０】
電流遮断部８０は、変形板８５を下方から支持する支持部材８６を備えている。支持部材８６は、変形板８５と電極組立体１４の端面１４ａとの間に配置されている。支持部材８６は略円板状であり、支持部材８６の上面には、下方に凸となった変形板８５に沿うように凹んだ支持凹部８６ａが存在する。支持凹部８６ａの底面における突起８５ａと対向する箇所には、対向方向Ｚに貫通したガス孔８６ｂが存在する。なお、支持部材８６の板厚は、第２正極絶縁部材５８の板厚よりも厚い。
【００５１】
かかる構成によれば、ガス孔８６ｂを介して、ケース１１内の圧力が変形板８５に付与されている。この場合、ケース１１内の圧力が規定圧を超えた場合には、図６の２点鎖線に示すように、変形板８５が上方に向けて凸となるように変形する。すると、突起８５ａが破断溝８４で囲まれた負極溶接部分Ｐ２に衝突し、その結果、接点板８１が上方に向けて凸となるように変形する。この際、遮断接合部６２における負極溶接部分Ｐ２が破断され、遮断接合部６２と負極端子１６との電気的接続が物理的に遮断される。
【００５２】
図５及び図６に示すように、二次電池１０は、負極頭部７１の上面７１ａ及び外周面を覆う絶縁性を有する負極絶縁部材８７と、負極絶縁部材８７、負極頭部７１、絶縁リング８２、シール部材８３、遮断接合部６２、変形板８５及び支持部材８６をユニット化するカシメ部材８８とを備えている。
【００５３】
負極絶縁部材８７は、負極頭部７１に対して上方から取り付けられるものであって、蓋１３と負極頭部７１との接触を規制するものである。詳細には、図５に示すように、負極絶縁部材８７は、円筒部８７ａ、及び、円筒部８７ａの軸線方向の上端部に有って径方向内側に延びた鍔部８７ｂを有しており、鍔部８７ｂが負極頭部７１の上面７１ａを覆い、且つ、円筒部８７ａが負極頭部７１の外周面を覆っている。
【００５４】
カシメ部材８８は、円筒部８８ａと、当該円筒部８８ａの軸線方向の両端部に有って径方向内側に延びた上鍔部８８ｂ及び下鍔部８８ｃとを有する。カシメ部材８８は、上鍔部８８ｂが負極絶縁部材８７に係止し、且つ、下鍔部８８ｃが支持部材８６の外周面に存在する段差部に係止することにより、上記各種部材をユニット化している。
【００５５】
ちなみに、図５に示すように、負極絶縁部材８７の円筒部８７ａにおける軸線方向の下端部において上方から見て負極湾曲部６３と重なる位置には第１逃し凹部９１が存在する。同様に、カシメ部材８８の円筒部８８ａにおける軸線方向の下端部において上方から見て負極湾曲部６３と重なる位置には第２逃し凹部９２が存在する。これら各逃し凹部９１，９２によって、負極絶縁部材８７及びカシメ部材８８と、負極導電部材６０との干渉が回避されている。
【００５６】
ここで、図６に示すように、正極頭部５１の対向方向Ｚの長さである正極頭部５１の厚さは、負極頭部７１の対向方向Ｚの長さである負極頭部７１の厚さよりも厚くなっている。そして、支持部材８６の下面８６ｃと、第２正極絶縁部材５８の下面５８ｃとは対向方向Ｚに揃っており、同一平面上に存在する。詳細には、電極組立体１４の端面１４ａと第２正極絶縁部材５８の下面５８ｃとの距離Ｚ１と、電極組立体１４の端面１４ａと支持部材８６の下面８６ｃとの距離Ｚ２とは同一に設定されている。
【００５７】
また、正極頭部５１に対して電極組立体１４寄りに配置されている端子接合部４２と、負極頭部７１に対して電極組立体１４寄りに配置されている遮断接合部６２とは対向方向Ｚにずれて配置されている。詳細には、電極組立体１４の端面１４ａと端子接合部４２との距離Ｚ３は、電極組立体１４の端面１４ａと遮断接合部６２の下面６２ｂとの距離Ｚ４よりも短い。
【００５８】
ここで、各導電部材４０，６０の湾曲部４３，６３は、対向方向Ｚにおいて正極タブ接合部４１の正極上面４４と負極タブ接合部６１の負極上面６４とが互いに近づくように、異なる湾曲態様で湾曲している。詳細には、正極湾曲部４３の対向方向Ｚの長さは、負極湾曲部６３の対向方向Ｚの長さよりも長い。
【００５９】
ここで、「正極湾曲部４３の対向方向Ｚの長さ」とは、例えば正極下面４５から端子接合部４２の上面４２ｂまでの対向方向Ｚの距離であり、「負極湾曲部６３の対向方向Ｚの長さ」とは、例えば負極下面６５から遮断接合部６２の上面６２ａまでの対向方向Ｚの距離である。端子接合部４２の上面４２ｂとは、端子接合部４２において正極頭部５１の下面５１ｂと接触している面である。
【００６０】
また、各湾曲部４３，６３の厚さを考慮すれば、「正極湾曲部４３の対向方向Ｚの長さ」とは、正極上面４４から端子接合部４２における上面４２ｂとは反対側の下面４２ｃまでの対向方向Ｚの距離であり、「負極湾曲部６３の対向方向Ｚの長さ」とは、負極上面６４（第１面６４ａ）から遮断接合部６２の下面６２ｂまでの対向方向Ｚの距離である。
【００６１】
そして、正極上面４４と、負極上面６４において蓋１３寄りに配置されている第１面６４ａとが対向方向Ｚに揃っており、両者は同一平面上に配置されている。この場合、正極下面４５と負極下面６５とは同一平面上に配置されている。
【００６２】
かかる構成においては、図６に示すように、電流遮断部８０及び負極端子１６の一部である負極頭部７１と、負極タブ３２とは、電極組立体１４の幅方向Ｘに並んで配置されている。同様に、正極端子１５の一部である正極頭部５１と正極タブ３１とは、電極組立体１４の幅方向Ｘに並んで配置されている。
【００６３】
なお、本実施形態では、正極端子１５が「第１端子」に対応し、負極端子１６が「第２端子」に対応し、正極タブ３１が「第１タブ」に対応し、負極タブ３２が「第２タブ」に対応し、正極導電部材４０が「第１導電部材」に対応し、負極導電部材６０が「第２導電部材」に対応する。そして、正極タブ接合部４１が「第１タブ接合部」に対応し、正極上面４４が「第１対向面」に対応し、正極下面４５が「第１タブ接合面」に対応し、負極タブ接合部６１が「第２タブ接合部」に対応し、負極上面６４が「第２対向面」に対応し、負極下面６５が「第２タブ接合面」に対応する。また、正極湾曲部４３が「第１湾曲部」に対応し、負極湾曲部６３が「第２湾曲部」に対応する。
【００６４】
図３に示すように、二次電池１０は、正極タブ接合部４１及び負極タブ接合部６１と、蓋１３との間に配置される絶縁カバー１００を備えている。絶縁カバー１００は、例えば樹脂などで構成されている。絶縁カバー１００は、長方形の板状の本体部１０１と、当該本体部１０１の短手方向の端部から下方に起立した起立部１０２とを有しており、電極組立体１４の幅方向Ｘから見て逆Ｕ字状となっている。図６に示すように、絶縁カバー１００は、正極タブ接合部４１及び負極タブ接合部６１に跨って配置されている。絶縁カバー１００の長手方向の一端部がカシメ部材８８の外周面に突き当たり、他端部が第１正極絶縁部材５７の外周面に突き当たっている。絶縁カバー１００の下面は、正極上面４４及び負極上面６４の第１面６４ａの双方に当接している。
【００６５】
なお、図３に示すように、蓋１３の中央部には、ケース１１内の圧力が開放圧を超えた場合に開放される圧力開放弁１０３が有り、絶縁カバー１００の本体部１０１における圧力開放弁１０３と対向する部位には連通孔１０１ａが存在する。圧力開放弁１０３及び連通孔１０１ａは、上方から見て正極タブ接合部４１と負極タブ接合部６１との間に配置されている。
【００６６】
本実施形態の二次電池１０の製造方法について簡単に説明する。まず、ナット５５，７５の螺合によって端子１５，１６を蓋１３に取り付けることにより、正極端子１５及び正極導電部材４０等から構成される正極ユニットと蓋１３とをユニット化し、負極端子１６、電流遮断部８０及び負極導電部材６０等から構成される負極ユニットと蓋１３とをユニット化する。そして、正極タブ３１と正極タブ接合部４１とを溶接治具で押圧した状態で溶接し、且つ、負極タブ３２と負極タブ接合部６１の薄肉部６１ｂとを溶接治具で押圧した状態で溶接することによって、正極ユニット、負極ユニット、蓋１３及び電極組立体１４をユニット化する。そして、図７に示すように、正極ユニット、負極ユニット、蓋１３及び電極組立体１４等から構成されるユニット体を、ケース本体１２に挿入することによって、二次電池１０が製造される。
【００６７】
次に本実施形態の作用について説明する。
電極組立体１４の幅方向Ｘに、電流遮断部８０、負極タブ３２、正極タブ３１及び正極頭部５１が並んで配置されているため、例えば各タブ３１，３２が、電流遮断部８０及び正極頭部５１よりも電極組立体１４寄りに配置されている場合と比較して、スペースＳ１が小さくなっている。
【００６８】
以上詳述した本実施形態によれば以下の効果を奏する。
（１）二次電池１０は、正極タブ３１と正極端子１５とに接合されている正極導電部材４０と、負極端子１６と電極組立体１４との間に配置された電流遮断部８０と負極タブ３２とに接合されている負極導電部材６０とを備えている。導電部材４０，６０は、電極２１，２２の積層方向Ｙから見てクランク状に湾曲した湾曲部４３，６３を有する。そして、電流遮断部８０と負極タブ３２とは電極組立体１４の幅方向Ｘに並んで配置されており、正極端子１５のうちケース１１内にあって電極組立体１４に向けて突出している正極頭部５１と正極タブ３１とは電極組立体１４の幅方向Ｘに並んで配置されている。これにより、スペースＳ１の低減を図ることができる。
【００６９】
また、タブ３１，３２とタブ接合部４１，６１との溶接時において、溶接治具から各タブ接合部４１，６１に対して押圧力が付与された場合には、各湾曲部４３，６３が撓むことによって押圧力に起因する応力が吸収される。これにより、応力が各溶接部分Ｐ１，Ｐ２に伝達されることを抑制できる。よって、各溶接部分Ｐ１，Ｐ２に外圧が付与されることに起因する各溶接部分Ｐ１，Ｐ２の異常、例えば各溶接部分Ｐ１，Ｐ２の電気抵抗の上昇等を抑制できる。
【００７０】
さらに、二次電池１０に振動などが付与された場合には、当該振動に対応して各湾曲部４３，６３が撓むことが想定される。これにより、振動の影響が各溶接部分Ｐ１，Ｐ２に伝わりにくいため、振動等によって生じ得る各溶接部分Ｐ１，Ｐ２の異常を抑制できる。
【００７１】
特に、各タブ３１，３２は、電極２１，２２の積層方向Ｙに折り曲げられている。この場合、電極２１，２２の積層方向Ｙ及び対向方向Ｚの振動は、各タブ３１，３２にて吸収され易い。一方、各タブ３１，３２がねじれる方向である電極組立体１４の幅方向Ｘの振動は、各タブ３１，３２にて吸収されにくい。これに対して、導電部材４０，６０におけるクランク状に湾曲している部分である湾曲部４３，６３は、電極組立体１４の幅方向Ｘに撓みやすい。これにより、各湾曲部４３，６３が、電極組立体１４の幅方向Ｘの振動を好適に吸収できる。よって、電極組立体１４の幅方向Ｘの振動に対して、より好適に対応できる。
【００７２】
（２）ここで、電流遮断部８０を、負極端子１６の下方ではなく、負極端子１６と負極タブ３２との間に配置することも考えられる。この場合、電流遮断部８０の設置スペースを確保するために、負極タブ３２を負極電極２２の端部２２ｃの中央部に配置し、負極タブ接合部６１の長手方向の寸法を長くすることが考えられる。かかる構成においては、圧力開放弁１０３の下方に、負極タブ３２等が配置されることとなるため、これらがガスの流出を阻害する不都合が生じ得る。
【００７３】
これに対して、本実施形態では、電流遮断部８０が負極端子１６の下方の位置に配置されているため、上記不都合を回避できる。しかしながら、この場合、負極端子１６の下方に電流遮断部８０を配置する関係上、負極端子１６及び電流遮断部８０等から構成される負極ユニットの対向方向Ｚの寸法が長くなり易く、スペースＳ１が大きくなり易い。この点、本実施形態によれば、負極導電部材６０を湾曲させて電流遮断部８０等と負極タブ３２とを横並びにすることにより、電流遮断部８０を負極端子１６の下方の位置に配置することによって顕著となる不都合であるスペースＳ１の増大を好適に抑制できる。
【００７４】
（３）負極導電部材６０におけるクランク状に湾曲している部分である負極湾曲部６３はくびれている。これにより、負極湾曲部６３が撓み易くなっているため、より好適に負極湾曲部６３による応力緩和を図ることができ、それを通じて負極溶接部分Ｐ２に付与される応力を、より好適に軽減することができる。
【００７５】
特に、負極溶接部分Ｐ２は、電流遮断部８０によって破断される関係上、正極溶接部分Ｐ１よりも脆弱に構成されている。このため、負極溶接部分Ｐ２は、応力等によって異常が発生し易い。これに対して、本実施形態では、電流遮断部８０と負極タブ３２とに接合されている負極導電部材６０の負極湾曲部６３がくびれているため、比較的脆弱な負極溶接部分Ｐ２を、より好適に保護することができる。
【００７６】
（４）正極導電部材４０は、正極端子１５に接合されている端子接合部４２と、端子接合部４２よりも蓋１３寄りに配置されるものであって、正極タブ３１に接合されている正極下面４５及び蓋１３の内面１３ａと対向する正極上面４４を有する正極タブ接合部４１とを備えている。同様に、負極導電部材６０は、遮断接合部６２に接合されている遮断接合部６２と、遮断接合部６２よりも蓋１３寄りに配置されるものであって、負極タブ３２に接合されている負極下面６５及び蓋１３の内面１３ａと対向する負極上面６４を有する負極タブ接合部６１とを備えている。端子接合部４２と遮断接合部６２とは対向方向Ｚにずれている。
【００７７】
かかる構成において、各導電部材４０，６０の湾曲部４３，６３は、対向方向Ｚにおいて正極上面４４と負極上面６４とが互いに近づくように湾曲している。詳細には、各湾曲部４３，６３は、正極上面４４と負極上面６４の第１面６４ａとが同一平面上に配置されるように、端子接合部４２と遮断接合部６２との対向方向Ｚのずれを考慮して異なる湾曲態様で湾曲している。これにより、各タブ接合部４１，６１の上端が面一となっているため、絶縁カバー１００のガタつきを抑制できる。また、正極上面４４と絶縁カバー１００との間、又は、負極上面６４の第１面６４ａと絶縁カバー１００との間にデッドスペースが形成されることを抑制できる。
【００７８】
（５）正極ユニットの下面である第２正極絶縁部材５８の下面５８ｃと、負極ユニット（電流遮断部８０）の下面である支持部材８６の下面８６ｃとは、同一平面上に配置されている。これにより、正極ユニット、負極ユニット、蓋１３及び電極組立体１４等から構成されるユニット体を、ケース本体１２に挿入する際に、力の不均衡が生じにくい。よって、ケース１１内にて電極組立体１４が傾いたり、電極組立体１４に局所的な荷重が付与されたり等の不都合を回避できる。
【００７９】
ここで、上記のように、第２正極絶縁部材５８の下面５８ｃと支持部材８６の下面８６ｃとを面一にしようとすると、端子接合部４２と遮断接合部６２とが対向方向Ｚにずれる。このため、仮に、各湾曲部４３，６３の湾曲態様が同一となっている場合には、正極上面４４と負極上面６４の第１面６４ａとが対向方向Ｚにずれてしまう。
【００８０】
これに対して、本実施形態によれば、上述した通り、端子接合部４２と遮断接合部６２との対向方向Ｚのずれを考慮して、各湾曲部４３，６３の湾曲態様が異なっている。これにより、ケース１１内にて電極組立体１４が傾く等といった不都合を回避しつつ、（４）の効果を実現することができる。
【００８１】
（６）負極タブ接合部６１は、厚さが相違する厚肉部６１ａ及び薄肉部６１ｂを有している。この場合、薄肉部６１ｂは、厚肉部６１ａと比較して、撓み易いため、負極溶接部分Ｐ２に応力が付与されることを、より好適に抑制できる。
【００８２】
（７）負極下面６５における薄肉部６１ｂに対応する部分と負極タブ３２とが溶接されている。これにより、溶接に係る熱拡散を抑制でき、それを通じて負極タブ接合部６１と負極タブ３２との溶接を好適に行うことができる。
【００８３】
（８）特に、負極タブ接合部６１が厚肉部６１ａ及び薄肉部６１ｂを有する関係上、負極上面６４は、対向方向Ｚにずれた第１面６４ａ及び第２面６４ｂを有している。かかる構成において、各湾曲部４３，６３は、第１面６４ａ及び第２面６４ｂのうち蓋１３寄りに配置されている第１面６４ａと正極上面４４とが同一平面上に配置されるように湾曲している。これにより、（４），（６），（７）の効果の両立を図ることができる。
【００８４】
（第２実施形態）
本実施形態では、負極タブ３２の湾曲態様、及び、負極導電部材１１０の湾曲態様が第１実施形態と異なっている。その異なる点について以下に説明する。
【００８５】
図８に示すように、本実施形態の負極導電部材１１０は、負極タブ接合部６１の負極下面６５と正極タブ接合部４１の正極下面４５とが対向方向Ｚにずれるように湾曲した負極湾曲部１１１を有している。詳細には、負極タブ３２が正極タブ３１よりも薄いことに対応させて、負極導電部材１１０の負極湾曲部１１１は、負極タブ接合部６１の負極下面６５が正極下面４５よりも電極組立体１４寄りに配置されるように湾曲している。この場合、電極組立体１４の端面１４ａと負極下面６５との間のスペースであって負極タブ３２が配置される負極タブスペースＳ１２は、電極組立体１４の端面１４ａと正極下面４５との間のスペースであって正極タブ３１が配置される正極タブスペースＳ１１よりも小さい。
【００８６】
本実施形態の作用効果について以下に説明する。
（９）各導電部材４０，１１０の湾曲部４３，１１１は、負極下面６５が正極下面４５よりも電極組立体１４に近づくように湾曲している。これにより、各タブ３１，３２に付与される応力を軽減することができる。
【００８７】
詳述すると、仮に、正極タブスペースＳ１１に対応させて、負極タブスペースＳ１２を大きくしようとすると、負極タブ３２の厚さが正極タブ３１の厚さよりも薄い関係上、負極タブ３２は、正極タブ３１と比較して、対向方向Ｚに引っ張られ易い。これに対して、本実施形態では、負極タブスペースＳ１２が、正極タブスペースＳ１１よりも対向方向Ｚに小さくなっているため、負極タブ３２に付与される応力を軽減できる。
【００８８】
また、仮に、負極タブスペースＳ１２に対応させて、正極タブスペースＳ１１を小さくしようとすると、正極タブ３１に対して対向方向Ｚから付与される荷重が大きくなることが想定される。これに対して、本実施形態では、正極タブスペースＳ１１が負極タブスペースＳ１２よりも大きくなっているため、正極タブ３１に付与される応力を軽減できる。
【００８９】
（第３実施形態）
本実施形態では、正極タブ３１の湾曲態様、及び、正極導電部材１２０の湾曲態様が第１実施形態と異なっている。その異なる点について以下に説明する。
【００９０】
図９に示すように、各正極タブ３１は、電極２１，２２の積層方向Ｙの一方に寄せて集められた状態で他方に折り返されているが、第１実施形態のように、他方側に位置するタブ３１が一方側に向けて折り返されていない。
【００９１】
図１０（ａ）に示すように、本実施形態の正極導電部材１２０は、正極タブ接合部４１の正極下面４５と、図示しない負極タブ接合部６１の負極下面６５とが対向方向Ｚにずれるように湾曲した正極湾曲部１２１を有している。
【００９２】
本実施形態において、「正極湾曲部１２１の対向方向Ｚの長さ（以下、単に湾曲部長さＺ８とする）」は、正極湾曲部１２１の厚みを考慮して、正極上面４４から、正極湾曲部１２１における電極組立体１４の端面１４ａとの対向部（第１対向部１２１ａ）までの対向方向Ｚの距離である。なお、第１対向部１２１ａとは、電極組立体１４の端面１４ａへの正極湾曲部１２１の対向部のうち、最も端面１４ａに近い対向部であり、正極湾曲部１２１と端子接合部４２との境界に位置する部位である。ここで、湾曲部長さＺ８のうち、正極下面４５から正極湾曲部１２１の第１対向部１２１ａまでの対向方向Ｚの距離を湾曲部距離Ｚ５とすると、湾曲部長さＺ８は、湾曲部距離Ｚ５と、正極タブ接合部４１の厚みとの和となる。
【００９３】
そして、湾曲部長さＺ８は、上述の湾曲部距離Ｚ５を所定の値に設定して調整される。なお、本実施形態では、第２正極絶縁部材５８が、端子接合部４２と一体化され、かつ端子接合部４２と電極組立体１４の端面１４ａとの間に介在する第１絶縁部材に相当する。
【００９４】
二次電池１０において、例えば、正極端子１５に対し、上方から衝撃が加わり、正極端子１５及び、正極端子１５に一体の正極導電部材１２０が電極組立体１４に向けて変位したとする。この場合、折り返された各正極タブ３１は、衝撃を受けて変位した正極タブ接合部４１によって電極組立体１４に向けて寄せ集められ、複数の正極タブ３１同士が対向方向Ｚに接触し合った状態になる。
【００９５】
図１０（ｂ）に示すように、このときの、対向方向Ｚにおける上端の正極タブ３１の上面から、下端の正極タブ３１の下面までの対向方向Ｚへの距離を、タブ積層距離Ｚ６とする。タブ積層距離Ｚ６は、各正極タブ３１が折り返された状態で積層されていることから、一枚ごとの正極タブ３１の厚みを正極タブ３１の枚数の２倍、すなわち、電極組立体１４を構成する正極電極２１の枚数を２倍した値となる。そして、衝撃を受けて正極導電部材１２０が電極組立体１４に向けて変位したとき、正極タブ３１が寄せ集められた段階で、正極導電部材１２０の変位が止められる。
【００９６】
二次電池１０においては、正極導電部材１２０の変位が止められたとき、正極導電部材１２０と電極組立体１４とが短絡しないようにする必要がある。この短絡を抑制するには、変位が止められた正極導電部材１２０において電極組立体１４に向けて露出している正極湾曲部１２１（第１対向部１２１ａ）が電極組立体１４の端面１４ａに接触しないことが重要である。
【００９７】
また、正極導電部材１２０の変位が止められたとき、電極組立体１４が損傷を受けないようにするため、第２正極絶縁部材５８と電極組立体１４の端面１４ａとが接触しないようする必要がある。よって、湾曲部距離Ｚ５は、正極導電部材１２０の変位が止められたとき、第２正極絶縁部材５８の下面５８ｃが電極組立体１４の端面１４ａに接触しないように設定される。ここで、対向方向Ｚに沿った第２正極絶縁部材５８の下面５８ｃと電極組立体１４の端面１４ａとの距離を離間距離Ｚ７とする。
【００９８】
正極導電部材１２０の変位が止められたとき、正極湾曲部１２１の第１対向部１２１ａ及び第２正極絶縁部材５８の下面５８ｃと、電極組立体１４の端面１４ａとの間に、クリアランスが確保できるように湾曲部距離Ｚ５が設定される。すなわち、正極タブ３１が電極組立体１４側に寄せ集められ、正極導電部材１２０の変位が止まった状態において、タブ積層距離Ｚ６が、湾曲部距離Ｚ５と離間距離Ｚ７との和より長くなるように（関係式１を満たすように）湾曲部距離Ｚ５が設定される。
【００９９】
タブ積層距離Ｚ６＞湾曲部距離Ｚ５＋離間距離Ｚ７…関係式１
そして、関係式１から湾曲部距離Ｚ５は関係式２を満たすように設定される。
湾曲部距離Ｚ５＜タブ積層距離Ｚ６−離間距離Ｚ７…関係式２
そして、湾曲部長さＺ８は、上記のように設定された湾曲部距離Ｚ５と、正極タブ接合部４１の厚みとの和として設定される。
【０１００】
本実施形態の作用効果について以下に説明する。
（１０）正極端子１５及び正極導電部材１２０が電極組立体１４に向けて変位すると、正極導電部材１２０の変位によって、各正極タブ３１が対向方向Ｚに沿って電極組立体１４側に寄せ集められる。このとき、正極導電部材１２０は、各正極タブ３１が対向方向Ｚに寄せ集められた位置までは変位する。正極湾曲部１２１の湾曲部距離Ｚ５が、関係式２を満たす長さに設定されていると、正極湾曲部１２１の第１対向部１２１ａ及び第２正極絶縁部材５８の下面５８ｃは、電極組立体１４の端面１４ａに接触せず、しかも、第２正極絶縁部材５８と電極組立体１４の端面１４ａとの間にクリアランスを確保した状態とすることができる。
【０１０１】
その結果、正極電極２１と負極電極２２において、正極活物質層２１ｂを負極活物質層２２ｂで覆うために、負極電極２２が正極電極２１より一回り大きいサイズであり、負極電極２２の方が、正極電極２１より蓋１３に近くなっていても、正極湾曲部１２１が負極電極２２に接触することを抑制できる。すなわち、変位した正極導電部材１２０と負極電極２２とが短絡してしまうことを抑制できる。
【０１０２】
また、第２正極絶縁部材５８と負極電極２２が接触することが抑制され、負極電極２２が損傷を受けることが抑制される。
なお、上記各実施形態は以下のように変更してもよい。
【０１０３】
○  第３の実施形態において、負極導電部材６０における負極下面６５から、負極湾曲部６３における電極組立体１４の端面１４ａとの第２対向部までの対向方向Ｚの距離を湾曲部距離とする。また、負極端子１６に対し、上方から衝撃が加わり、負極端子１６及び負極導電部材６０が電極組立体１４に向けて変位し、負極タブ３２が電極組立体１４側に寄せ集められたときの、電極組立体１４の端面１４ａと、第２絶縁部材としての支持部材８６の下面８６ｃとの対向方向Ｚに沿った距離を離間距離とする。なお、この離間距離は、負極タブ３２の厚みを枚数分だけ加算し、かつ２倍した値である。さらに、寄せ集められた負極タブ３２において、上端の負極タブ３２の上面から下端の負極タブ３２の下面までの対向方向Ｚへの距離を、タブ積層距離とする。
【０１０４】
この場合、第３実施形態の関係式２のように、湾曲部距離＜タブ積層距離−離間距離が成立するように、負極導電部材６０における湾曲部距離を設定してもよい。
○  電流遮断部８０は、正極端子１５と電極組立体１４との間に配置され、正極端子１５と一体化している構成であってもよい。この場合、正極端子１５が「第２端子」に対応し、負極端子１６が「第１端子」に対応し、正極タブ３１が「第２タブ」に対応し、負極タブ３２が「第１タブ」に対応し、正極導電部材４０が「第２導電部材」に対応し、負極導電部材６０，１１０が「第１導電部材」に対応する。
【０１０５】
○  各端子１５，１６が取り付けられる位置は、蓋１３に限られず、ケース本体１２の５つの壁部のいずれかであってもよい。この場合、電極組立体１４は、各タブ３１，３２が存在する端面１４ａと、ケース本体１２における各端子１５，１６が取り付けられた壁部とが対向するようにケース１１に収容されているとよい。
【０１０６】
○  各実施形態では、負極湾曲部６３，１１１がくびれていたが、これに限られず、正極導電部材４０におけるクランク状に湾曲している部分である正極湾曲部４３がくびれていてもよいし、正極湾曲部４３及び負極湾曲部６３，１１１の双方がくびれていてもよい。また、正極湾曲部４３及び負極湾曲部６３，１１１の双方がくびれていなくてもよい。
【０１０７】
○  電流遮断部８０の具体的な構成は、各実施形態のものに限られず、通電経路を遮断することができれば任意である。
○  支持部材８６の下面８６ｃと、第２正極絶縁部材５８の下面５８ｃとが、対向方向Ｚにずれていてもよい。
【０１０８】
○  端子接合部４２と遮断接合部６２とが対向方向Ｚに揃っていてもよい。
○  第１実施形態では、正極上面４４と負極上面６４の第１面６４ａとが同一平面上に配置されていたが、これに限られず、両者が互いに近づいていればよい。正極上面４４と第１面６４ａとが互いに近づくとは、例えば正極上面４４と第１面６４ａとの対向方向Ｚのずれ寸法が、端子接合部４２の上面４２ｂ（又は下面４２ｃ）と遮断接合部６２の上面６２ａ（又は下面６２ｂ）との対向方向Ｚのずれ寸法よりも短くなることである。
【０１０９】
○  各実施形態では、負極上面６４が段差状になっていたが、これに限られず、負極下面６５が段差状になっていてもよい。
○  正極タブ接合部４１が、厚肉部と薄肉部とを有する構成であってもよいし、各タブ接合部４１，６１の双方が厚肉部と薄肉部とを有する構成であってもよい。また、薄肉部を省略してもよい。
【０１１０】
○  第２実施形態において、第１面６４ａと絶縁カバー１００の下面とが当接するように、負極導電部材１１０の厚肉部を厚くしてもよい。この場合、絶縁カバー１００のガタつきを抑制できるとともに、断面積の拡大を通じて電気抵抗の低減を図ることができる。
【０１１１】
○  正極タブ３１の厚さが負極タブ３２の厚さよりも薄くてもよい。この場合、正極湾曲部及び負極湾曲部は、正極下面４５が負極下面６５よりも電極組立体１４寄りに配置されるように湾曲しているとよい。要は、正極湾曲部及び負極湾曲部は、正極タブ及び負極タブのうち相対的に厚さが薄い方のタブに接合される接合面が、相対的に厚さが厚い方のタブに接合される接合面よりも電極組立体１４寄りに配置されるように湾曲しているとよい。
【０１１２】
○  電極組立体１４は、帯状の正極電極と負極電極とが、帯状のセパレータを介して捲回されて積層構造となった捲回型であってもよい。
○  二次電池１０は、車両に搭載して走行に用いてもよいし、定置用の電源として用いてもよい。
【０１１３】
○  ケース１１の形状は任意であり、例えば円筒形状であってもよい。
○  二次電池１０は、リチウムイオン電池であったが、これに限られず、他の二次電池であってもよい。要は、正極活物質層２１ｂと負極活物質層２２ｂとの間をイオンが移動するとともに電荷の授受を行うものであればよい。また、蓄電装置として電気二重層キャパシタでもよい。
【０１１４】
次に、上記各実施形態及び別例から把握できる好適な一例について以下に記載する。
（イ）各タブ接合部と壁部との間に配置されたものであって、第１対向面及び第２対向面の双方に当接している絶縁カバーを備えていてもよい。
【０１１５】
（ロ）第１湾曲部と第２湾曲部とは、第１タブの厚さが第２タブの厚さよりも薄い場合には、第１タブ接合面が第２タブ接合面よりも電極組立体寄りに配置されるように湾曲している一方、第２タブの厚さが第１タブの厚さよりも薄い場合には、第２タブ接合面が第１タブ接合面よりも電極組立体寄りに配置されるように湾曲しているとよい。
【符号の説明】
【０１１６】
Ｚ５…湾曲部距離、Ｚ６…タブ積層距離、Ｚ７…離間距離、１０…二次電池、１１…ケース、１４…電極組立体、１４ａ…電極組立体の端面、１５，１６…端子、２１，２２…電極、２３…セパレータ、３１，３２…タブ、４０，６０，１１０…導電部材、４１，６１…タブ接合部、４２…端子接合部、４３，６３，１１１…湾曲部、４４…正極上面、４５…正極下面、５８…第２正極絶縁部材、６１ａ…厚肉部、６１ｂ…薄肉部、６２…遮断接合部、６４…負極上面、６５…負極下面、８０…電流遮断部、８６…支持部材、１００…絶縁カバー、１２１ａ…第１対向部。
【図１】
0005900538.tif 000002
【図２】
0005900538.tif 000003
【図３】
0005900538.tif 000004
【図４】
0005900538.tif 000005
【図５】
0005900538.tif 000006
【図６】
0005900538.tif 000007
【図７】
0005900538.tif 000008
【図８】
0005900538.tif 000009
【図９】
0005900538.tif 000010
【図１０】
0005900538.tif 000011